(57)【特許請求の範囲】
【請求項１】
光学ユニットが脱着される脱着部と、
撮像素子と、
変換光学系と、
ファインダー光学系を有する撮像本体部であって、
前記変換光学系は中間像を形成する光学系であり、
前記ファインダー光学系は光路折り曲げ部材を有し、
該光路折り曲げ部材は、前記脱着部を挟んで前記撮像素子と反対側に設けられ、
該光路折り曲げ部材における反射面の向きは、折り曲げ後の光路の光軸が前記変換光学系の光軸と平行となるように設定され、
該折り曲げ後の光路に別の光学系が配置されていることを特徴とする撮像本体部。
【請求項２】
前記別の光学系は、別の光路折り曲げ部材と接眼レンズを備え、
該別の光路折り曲げ部材は、該接眼レンズの光入射側に配置されると共に、該接眼レンズから出射した光を前記変換光学系の光軸から離れる方向に反射するように設けられていることを特徴とする請求項１に記載の撮像本体部。
【請求項３】
前記別の光学系は、結像光学系と接眼レンズを備え、
前記結像光学系は中間像を形成する光学系であり、
前記接眼レンズは、その光軸が前記変換光学系の光軸と平行となるように設けられていることを特徴とする請求項１に記載の撮像本体部。
【請求項４】
請求項１から３のいずれか１項に記載の撮像本体部と前記光学ユニットを備えたことを特徴とする撮像装置。
【発明の詳細な説明】
【技術分野】
【０００１】
本発明は、撮影光学系が脱着可能な撮像本体部、及び撮像装置に関する。
【背景技術】
【０００２】
撮影目的に応じて撮像素子をサイズの異なるものと交換できるカメラが知られている（特許文献１参照）。このカメラは、略横長の箱型のカメラ本体と、銀塩一眼レフカメラ用の撮影レンズとを備えている。カメラ本体は、銀塩一眼レフカメラ用のカメラ本体をそのまま流用している。裏蓋としては、銀塩カメラ用のものと、デジタルカメラ用のものがある。そして、デジタルカメラ用の裏蓋をカメラ本体に装着することができ、これにより、デジタルカメラとして使用可能となる。さらに、ＣＣＤ基板を交換することができるようになっている。これにより、一つのカメラ本体２で異なるデジタルカメラを構成することができる。
【特許文献１】特開２０００−５９６５５号公報
【発明の開示】
【発明が解決しようとする課題】
【０００３】
上記特許文献１に記載された技術では、交換可能なＣＣＤは、それぞれ受光部のサイズが、横１６ｍｍ×縦１２ｍｍと横２４ｍｍ×縦１８ｍｍである。これは、銀塩フィルムのサイズ横３６ｍｍ×縦２４ｍｍよりも小さい。そのため、受光部の大きなサイズの撮像素子を用いることができなかった。
【０００４】
本発明は従来技術のこれらの問題点に鑑みてなされたものであり、その目的は、薄型でありながら、受光部のサイズが異なる撮像素子を用いることが可能な撮像本体部を提供すると共に、観察がしやすいファインダー光学系を提供することである。また、撮像本体部を備えた撮像装置を提供することである。
【課題を解決するための手段】
【０００５】
上記目的を達成する本発明の撮像本体部は、光学ユニットが脱着される脱着部と、撮像素子と、変換光学系と、ファインダー光学系を有する撮像本体部であって、前記変換光学系は中間像を形成する光学系であり、前記ファインダー光学系は光路折り曲げ部材を有し、該光路折り曲げ部材は、前記脱着部を挟んで前記撮像素子と反対側に設けられ、該光路折り曲げ部材における反射面の向きは、折り曲げ後の光路の光軸が前記変換光学系の光軸と平行となるように設定され、該折り曲げ後の光路に別の光学系が配置されていることを特徴とする。
【０００６】
また、前記別の光学系は、別の光路折り曲げ部材と接眼レンズを備え、該別の光路折り曲げ部材は、該接眼レンズの光入射側に配置されると共に、該接眼レンズから出射した光を前記変換光学系の光軸から離れる方向に反射するように設けられていることを特徴とする。
【０００７】
また、前記別の光学系は、結像光学系と接眼レンズを備え、前記結像光学系は中間像を形成する光学系であり、前記接眼レンズは、その光軸が前記変換光学系の光軸と平行となるように設けられていることを特徴とする。
【０００８】
また、上記目的を達成する本発明の撮像装置は、上記の撮像本体部と前記光学ユニットを備えたことを特徴とする。
【発明の効果】
【０００９】
以上の本発明によると、薄型でありながら、受光部のサイズが異なる撮像素子を用いることが可能な撮像本体部を得ると共に、観察がしやすいファインダー光学系を得ることができる。また、この撮像本体部を備えた撮像装置を得ることができる。
【発明を実施するための最良の形態】
【００１０】
本発明の実施形態について説明する。第１の実施形態の撮像本体部を図１に示す。図１において、撮像本体部１は、脱着部２と、撮像素子３と、変換光学系４と、ファインダー光学系６を有する。脱着部２は、例えば、バヨネットである。この脱着部２を介して、光学ユニットが脱着できるようになっている。また、本実施形態では、撮像素子３の前方に、フィルタ５が配置されている。
【００１１】
変換光学系４は脱着部２と撮像素子３の間に配置されている。この変換光学系４により、脱着部２と撮像素子３の間に中間像Ｉが形成される。
【００１２】
変換光学系４は、前側レンズ系４ａ，４ｂと後側レンズ系４ｃで構成されている。前側レンズ系４ａ，４ｂは、全体として正の屈折力を有している。また、後側レンズ系４ｃは、全体として正の屈折力を有している。
【００１３】
ここで、前側レンズ系４ａ，４ｂは、中間像Ｉの近傍に配置された正の屈折力のレンズ４ａと、さらに別の正の屈折力のレンズ４ｂを有する。レンズ４ａは中間像の近傍に配置されているので、フィールドレンズとして機能する。
【００１４】
なお、図１では、前側レンズ系４ａ，４ｂと後側レンズ系４ｃを、それぞれ１枚のレンズとしている。しかしながら、前側レンズ系４ａ，４ｂと後側レンズ系４ｃを、それぞれ複数のレンズで構成しても良い。
【００１５】
変換光学系４は、中間像を形成する光学系である。このようにすれば、被写体の像を大きくした場合であっても、収差の少ない像が得られる。
【００１６】
ファインダー光学系６は光路折り曲げ部材１０を有している。本実施形態では、光路折り曲げ部材１０はプリズムである。なお、光路折り曲げ部材１０はミラーであっても良い。また、光路折り曲げ部材１０における反射面の向きは、折り曲げ後の光路の光軸Ｌ２が変換光学系４の光軸Ｌ１と平行となるように設定されている。なお、光軸Ｌ１と光軸Ｌ２は完全に平行である必要は無い。そして、折り曲げ後の光路に別の光学系が配置されている。
【００１７】
ここで、本実施形態の撮像部本体１は、撮像部本体１内に光路分割手段を有していない。光路分割手段は、後述の光学ユニット内に設けられている。よって、光学ユニットが撮像部本体１に装着されたとき、光学ユニットは、光路分割手段は脱着部２よりも手前（脱着部２を挟んで撮像素子３と反対側）に位置する。そのため、光路折り曲げ部材１０は、脱着部２を挟んで撮像素子３と反対側に設けられている。これにより、光路分割手段で反射された光、すなわち被写体からの光をファインダー光学系６に導くことができる。
【００１８】
ファインダー光学系６は、ファインダー光学系６内で中間像（以下、第２中間像）を形成しない光学系と、第２中間像を形成する光学系がある。本実施形態では、ファインダー光学系６は際２中間像を形成しない光学系である。よって、ファインダー光学系６は、別の光学系として、別の光路折り曲げ部材１１と接眼レンズ１２を備えている。
【００１９】
被写体からの光は、光学ユニットを介してファインダー光学系６に向かう。そして、中間像（以下、第１中間像Ｉ’とする）を形成する。続いて、光路折り曲げ部材１０に入射する。ここで、光路折り曲げ部材１０はペンタプリズムである。ペンタプリズムの入射面１０ａを通過した光は第１反射面１０ｂで反射され、第２反射面１０ｃに向かう。第２反射面１０ｃは、折り曲げ後の光路の光軸Ｌ２が変換光学系４の光軸Ｌ１と平行となるように、反射面の向きが設定されている。よって、第２反射面１０ｃで反射された光（軸上主光線）は、変換光学系４の光軸Ｌ１と平行となり、出射面１０ｄを通過する。
【００２０】
出射面１０ｄから出射した光は、別の光路折り曲げ部材１１に入射する。この別の光路折り曲げ部材１１はミラーである。別の光路折り曲げ部材１１は、接眼レンズ１２の光入射側に配置されている。そして、入射した光を接眼レンズ１２に向けて反射する。ここで、接眼レンズ１２は、光軸Ｌ２を挟んで、変換光学系４と反対側に配置されている。よって、別の光路折り曲げ部材１１（その反射面）は、接眼レンズ１２から出射した光を、変換光学系４の光軸Ｌ１から離れる方向に反射するように設けられている。
【００２１】
このように、本実施形態の撮像部本体１は、本体内部に変換光学系４を備えている。このため、この変換光学系４によって、受光部全体に被写体の像を大きく形成できる。その結果、撮像素子３に受光部の大きな素子を用いることができる。なお、受光部のサイズが小さい撮像装置用の撮影光学系であっても、変換光学系４によって、被写体の像を大きく形成できる。よって、既存の撮影光学系が使えるというメリットがある。また、本実施形態の撮像部本体１は、撮像部本体１内に光路分割手段を有していない。よって、撮像部本体１の薄型化ができる。
【００２２】
なお、本実施形態では、撮像部本体１に変換光学系４があるので、光軸方向に厚みを有する。しかしながら、本実施形態におけるファインダー光学系６は、接眼レンズから出射した光を変換光学系の光軸から離れる方向に反射するようにしているので、観察がしやすいファインダー光学系６を提供できる。
【００２３】
さらに、本実施形態におけるファインダー光学系６は、中間像（第２中間像とする）を形成しないため、２つの光路折り曲げ部材１０，１１と接眼レンズ１２という少ない部品点で構成されている。よって、ファインダー光学系６の構成を簡素にすることができる。
【００２４】
また、本実施形態におけるファインダー光学系６では、第２中間像を形成する場合と比べて、第１中間像Ｉ’からアイポイントまでの距離が短くなる。しかしながら、接眼レンズ１２から出射した光を、変換光学系４の光軸Ｌ１から離れる方向に導いている。よって、際、撮影者は撮像部本体１の上方からファインダーを介して被写体を確認できるので、被写体の確認に支障をきたすことが無い。
【００２５】
本発明の第２の実施形態について説明する。第２の実施形態の撮像本体部を図２に示す。なお、図１と同じ構成については同じ番号を付し、その説明は省略する。本実施形態の撮像本体部１’はファインダー光学系６’を有する。
【００２６】
本実施形態では、ファインダー光学系６’は第２中間像を形成する光学系である。よって、ファインダー光学系６’は、別の光学系として、結像光学系１３と接眼レンズ１２を備えている。結像光学系１３は第１のレンズ１３ａと第２レンズ１３ｂで構成されている。
【００２７】
被写体からの光は、光学ユニットを介してファインダー光学系６’に向かう。そして、第１中間像Ｉ’を形成する。第１中間像Ｉ’の近傍には第１レンズ１３ａが配置されている。第１レンズ１３ａを通過した光は、光路折り曲げ部材１０’に入射する。ここで、光路折り曲げ部材１０’はミラーである。光路折り曲げ部材１０’に入射した光は、その反射面で反射される。
【００２８】
このとき、光路折り曲げ部材１０’は、折り曲げ後の光路の光軸Ｌ２が変換光学系４の光軸Ｌ１と平行となるように、反射面の向きが設定されている。よって、光路折り曲げ部材１０’で反射された光（軸上主光線）は、変換光学系４の光軸Ｌ１と平行となり、第２レンズ１３ｂに向かう。第２レンズ１３ｂに入射した光は、第２中間像Ｉ”を形成する。そして、第２中間像Ｉ”からの光は、接眼レンズ１２に入射する。ここで、接眼レンズ１２は、その光軸が変換光学系４の光軸Ｌ１と平行となるように設けられている。そして、折り曲げ後の光路に別の光学系が配置されている。
【００２９】
上記のように、ファインダー光学系６'では第２中間像Ｉ"を形成するため、第２中間像Ｉ"を形成しない場合と比べて、第１中間像Ｉ'からアイポイントまでの距離が長くなる。ここで、上記のように、本実施形態では、撮像部本体１に変換光学系４があるので、光軸方向に厚みを有する。しかしながら、本実施形態におけるファインダー光学系６は、第２中間像Ｉ"を形成するので、接眼レンズ１２の位置を撮像部本体１の背面寄りに配置できる。よって、観察がしやすいファインダー光学系６を提供できる。また、光路折り曲げ部材１０'、第２レンズ１３ｂ及び接眼レンズ１２を直列に配置できる。これにより、ファインダー光学系６の光路を簡素にできる。
【００３０】
次に、第３の実施形態として、撮像装置を図３に示す。本実施形態の撮像装置２０は、撮像本体部１と光学ユニット２１を備えている。なお、図３に示すように、光学ユニット２１は、撮影光学系２２と、光路分割手段２３と駆動機構２４を有している。この光学ユニット２１は、脱着部２を介して撮像本体部１と接続されている。これにより、被写体の像は、撮影光学系２２と変換光学系４を介して、撮像素子３上に形成される。
【００３１】
第４の実施形態として、別の撮像装置を図４に示す。本実施形態の撮像装置２０’は、撮像本体部１’と光学ユニット２１を備えている。
【００３２】
なお、本発明は、その趣旨を逸脱しない範囲で様々な変形例をとることができる。
【図面の簡単な説明】
【００３３】
【図１】本発明の第１の実施形態における撮像本体部を示す図である。
【図２】本発明の第２の実施形態における撮像本体部を示す図である。
【図３】本発明の第３の実施形態における撮像装置を示す図である。
【図４】本発明の第４の実施形態における撮像装置を示す図である。
【符号の説明】
【００３４】
１，１’          撮像本体部
２                脱着部
３                撮像素子
４，              変換光学系
４ａ，４ｂ，      前側レンズ系
４ｃ              後側レンズ系
５                フィルタ
６，６’          ファインダー光学系
１０              光路折り曲げ部材（プリズム）
１０ａ            入射面
１０ｂ，１０ｃ    反射面
１０ｄ            入射面
１０’            光路折り曲げ部材（ミラー）
１１              ミラー
１２              接眼レンズ
１３              結像光学系
１３ａ            第１レンズ
１３ｂ            第２レンズ
２０，２０’      撮像装置
２１              光学ユニット
２２              撮影光学系
２３              光路分割手段
２４              駆動機構
Ｉ                中間像
Ｉ’              第１中間像
Ｉ”              第２中間像
【図１】
0005142747.tif 000002
【図２】
0005142747.tif 000003
【図３】
0005142747.tif 000004
【図４】
0005142747.tif 000005